(57)【要約】      （修正有）【課題】装着したときの違和感を少なくし、よりフィット感をもつことができるゴルフ練習用手っ甲を提供する。【解決手段】ゴルフ練習用手っ甲は、手首１０に対して手の甲１１の角度を規定するための曲げ部を備える角度規定片５と、クラブを把握する方の手首に手っ甲を固定するための手っ甲固定手段１と、手っ甲固定手段１から手の甲１１の上側に延出する手っ甲部３と、手っ甲部３の先端に設けられ指１２が挿入されたときに手っ甲部３を手の甲の表面部分に沿わせる弾性ループ部４と、角度規定片５を手っ甲部３に受け入れて手っ甲部３の手首１０に対する角度を定めるポケット部６とから構成されている。【選択図】図１
0003141568.tif 000002
【実用新案登録請求の範囲】
【請求項１】
ゴルフ競技において好ましいインパクト状態を形成できるようにするゴルフ練習用手っ甲であって、
手首に対して手の甲の角度を規定するための曲げ部を備える角度規定片と、
クラブを把握する方の手首に手っ甲を固定するための手っ甲固定手段と、
前記手っ甲固定手段から手の甲の上側に延出する手っ甲部分と、
前記手っ甲部分の先端に設けられ指が挿入されたときに手っ甲部分を手の甲の表面部分に沿わせる弾性ループ部と、
前記角度規定片を手っ甲部分に受け入れて手っ甲部の手首に対する曲げ角度を定めるポケット部と、
から構成したゴルフ練習用手っ甲。
【請求項２】
請求項１記載のゴルフ練習用手っ甲において、
前記手っ甲固定手段は、ゴムバンドよりなる仮止め用の手首バンドと調整固定用のベルトから構成されていることを特徴とするゴルフ練習用手っ甲。
【請求項３】
請求項１記載のゴルフ練習用手っ甲において、
前記角度規定片は、前記曲げ角度または外形の異なるものを複数準備し適宜差し換えて使用されることを特徴とするゴルフ練習用手っ甲。
【考案の詳細な説明】
【技術分野】
【０００１】
本考案は、ゴルフ競技において好ましいインパクト状態を常に形成できるようにするためのゴルフ練習用手っ甲に関する。
【背景技術】
【０００２】
ゴルフのスイングはチェックポイントが多く、すべてのチェックポイントをクリアしてスイングすることは、シングルプレーヤーでもなかなか難しい。
まして、月１ゴルフのプレーヤーは、日によって知らず知らずのうちにスイングが変わってしまっているのが現状である。
【０００３】
このようなゴルファーの要望に答えるために、数多くのゴルフ練習用の手袋等の発明と考案がなされている。
下記の特許文献１記載のゴルフ練習用手袋の考案は、上腕，手首，手の甲に至る比較的大きい曲げ防止ピースの基部を上腕と手首に固定し、曲げられた先端部分を手袋で手の甲に固定するゴルフ練習用の手袋を提案している。
特許文献２記載のスポーツ用手袋も手首折れの矯正を目的とした強制部材（１５０°〜１８０°に屈曲）を提案している。
特許文献３記載のゴルフ練習用矯正具は、クラブを握る手でない方（実施例では右手）の矯正具を提案している。
【特許文献１】実開昭６３−１４０９７０号公報
【特許文献２】特開平６−９１０３１号公報
【特許文献３】特開２００１−３２１４７９号公報
【考案の開示】
【考案が解決しようとする課題】
【０００４】
本願考案者は、ゴルフのアドレス時のグリップをもつ左手手首の位置（角度）からスイングをするときに、手首の縦の動きは必要であるが、左右の動きはないことが最も重要であると考えた。左右の動きがないことにより、スイング時にクラブフェイスの位置（角度）がアドレスのときの位置に戻り、ボールを的確に捉えてクラブのフェイス角どおりにボールを打つことができるからである。本考案によるゴルフ練習用手っ甲は、左手手首の角度を固定し、左右に動くことを防ぎ、縦の手首の動きはスムーズに行われるようにするものである。
【０００５】
インパクト時の手首の角度についても、一般的な角度のほかに、４種類の角度を用意することが好ましい。打ち方の違いによる角度の差、たとえばグリップエンドと体との距離（空間）が小さい場合（ハンドダウンタイプ）と、体とグリップエンドとの距離が少し離れている（空間が少し大きい）場合の腕とシャフトとの角度が大きくフラットに近いタイプとでは、おのずと手首の角度が変わってくる。それ以外にも、独自の角度をもっている人には、オーダーメイドで作成することができるようにすれば、ゴルフ練習用手っ甲の利用範囲または利用者の層を拡張することができる。
【０００６】
なお本考案に係るゴルフ練習用手っ甲はクラブを握る方の手用のものであるが、本考案明細書においては、以下、左手首を例にして説明することにする。
左手首にこのゴルフ練習用手っ甲を装着することにより、より左手に意識をもってもらうようにすることも、このゴルフ練習用手っ甲を左手に装着させた理由である。
ゴルフのスイングは、特に、平均的なゴルファーであれば、左肩、左腕を意識し左腕主導でテイクバックしていくことにより、左肩がまわり、自然と腰の回転が生じた、正しいテイクバックを作りやすくなる。そして、テイクバックしたクラブの位置は、ゴルフ練習用手っ甲を使用していることにより、クラブフェイスは正面を向き、常に一定した位置にクラブを収めることができやすくなる。ゴルフスイングの中で、バックスイングは、最も重要なポイントであるが、残念なことに、ゴルフのスイングの中で唯一自分で確認できにくい、いわば、自分で見ることが出来にくいところである。
それゆえ、テイクバックでクラブの位置を気にしすぎて、フォームを崩してしまうゴルファーがよく見受けられる。
【０００７】
本考案の主たる目的は、上述した心配をなくし、ただシンプルにスイングすることだけに集中することができるゴルフ練習用手っ甲を提供することにある。
本考案のさらに詳細な目的は、装着したときの違和感を少なくし（そのために軽量、コンパクト）、よりフィット感をもつことができるゴルフ練習用手っ甲を提供することにある。
またさらに他の目的は、あくまで自然のスイングを目的とし、使用中に違和感を覚えることがあれば、スイングが良くないと気づかせることができるので、一層の技量の向上を図ることができるゴルフ練習用手っ甲を提供することにある。
【課題を解決するための手段】
【０００８】
前記目的を達成するために、本考案による請求項１記載のゴルフ練習用手っ甲は、
ゴルフ競技において好ましいインパクト状態を形成できるようにするゴルフ練習用手っ甲であって、
手首に対して手の甲の角度を規定するための曲げ部を備える角度規定片と、
クラブを把握する方の手首に手っ甲を固定するための手っ甲固定手段と、
前記手っ甲固定手段から手の甲の上側に延出する手っ甲部分と、
前記手っ甲部分の先端に設けられ指が挿入されたときに手っ甲部分を手の甲の表面部分に沿わせる弾性ループ部と、
前記角度規定片を手っ甲部分に受け入れて手っ甲部の手首に対する曲げ角度を定めるポケット部と、から構成されている。
【０００９】
本考案による請求項２記載のゴルフ練習用手っ甲は、請求項１記載のゴルフ練習用手っ甲において、
前記手っ甲固定手段は、ゴムバンドよりなる仮止め用の手首バンドと調整固定用のベルトから構成されていることを特徴とする。
本考案による請求項３記載のゴルフ練習用手っ甲は、請求項１記載のゴルフ練習用手っ甲において、
前記角度規定片は、前記曲げ角度または外形の異なるものを複数準備し適宜差し換えて使用されることを特徴とする。
【考案の効果】
【００１０】
請求項１記載の考案によれば、コースに出る前や練習のときにゴルフ練習用手っ甲を装着して使用し、試合のときには使用したときのイメージをもってスイングすれば、大きなミスをなくすことができる。
請求項２，３記載の考案によれば、ゴルフ練習用手っ甲の装着調整等が極めて容易となり、種々の要請に対応できる。なお、この手っ甲の上からグローブを用いることもできる。
【考案を実施するための最良の形態】
【００１１】
以下図面等を参照して本考案によるゴルフ練習用手っ甲を詳しく説明する。
図１は、本考案によるゴルフ練習用手っ甲の実施例で利用者が装着した状態を示す斜視図であり、図２は装着前の状態を示す斜視図である。図３は、本考案によるゴルフ練習用手っ甲のポケット部分に角度規定片を挿入する状態を示す斜視図である。
【００１２】
各図に示すゴルフ練習用手っ甲は、ゴルフ競技において好ましいインパクト状態を形成できるように、練習時に着用するものである。公式な試合では使用できないが、コースに出る前や練習のときに装着して使用し、試合のときにはゴルフ練習用手っ甲を使用したときのイメージをもってスイングすることで、大きなミスを防ぐようにする。
【００１３】
本考案によるゴルフ練習用手っ甲は、図３に示すように角度規定片５をポケット６に挿入することにより、手首１０に対して手の甲１１の角度を規定する。角度規定片５は透明な硬質の樹脂等からなり、５ａに示す端が５ｂで曲げ起こされている。なお角度規定片５は曲げ起し角度の異なるものが複数種類用意され、適宜交換して使用される。
【００１４】
手っ甲固定手段１は、クラブを把握する方の左手の手首１０（図１）に本考案の手っ甲部を固定するために用いられる。手っ甲固定手段１は、ベルト１ｅとこれに一体に設けられ、後述する手っ甲部３の下側で手の甲方向に僅か伸びる合成皮革の手首上当て１ａと、この下側のゴムバンドよりなる手首バンド１ｂから構成されている。手首バンド１ｂはあらかじめ輪になっており、手首に仮止め用に用いられる。仮止めの状態で、ベルト１ｅに設けられた合成樹脂性の角環１ｄに挿入されたベルト１ｅの長さを調整して、面ファスナ１ｆを面ファスナ１ｃ，手っ甲部３の面ファスナ３ｂに接合して手首に固定する。
【００１５】
手っ甲部３は、手っ甲固定手段１から手の甲１１の部分（図１）上に延出するように、手っ甲固定手段１に固定されている。
手っ甲部３はスエードで、図３に示すように内部にポケット６が設けられており、表面にポケット蓋用面ファスナ３ａとベルト用面ファスナ３ｂが設けられている。
【００１６】
弾性ループ部４（図３）は、手っ甲部３の３ａに設けられ中指１２が挿入されたときに手っ甲部３を手の甲の表面部分に沿わせる役割をする。ポケット６に角度規定片５を挿入して、図２に示すように蓋面６ａを閉じて弾性ループ部４を中指１２（図１参照）に掛けると手っ甲部３の裏面（下面）は手の甲１１に沿わされる。
手っ甲を装着した状態でグローブを用いることにより、手っ甲をより一層フィットさせることができる。
【図面の簡単な説明】
【００１７】
【図１】本考案によるゴルフ練習用手っ甲の実施例で利用者が装着した状態を示す斜視図である。
【図２】本考案によるゴルフ練習用手っ甲の実施例で利用者が装着する前の状態を示す斜視図である。
【図３】本考案によるゴルフ練習用手っ甲の実施例で利用者が装着する前の状態で、ポケット部分に角度規定片を挿入する状態を示す斜視図である。
【符号の説明】
【００１８】
１  手っ甲固定手段
１ａ  手首上当て
１ｂ  手首バンド
１ｃ，１ｆ  面ファスナ
１ｄ  角環（樹脂）
１ｅ  ベルト
３  手っ甲部
３ａ  ポケット蓋用面ファスナ
３ｂ  ベルト用面ファスナ
３ｃ  手っ甲部上面
４  弾性ループ部
５  角度規定片
６  ポケット
６ａ  ポケット蓋面
６ｂ  ポケット蓋面ファスナ
１０  手首
１１  手の甲
１２  中指
【図１】
0003141568.tif 000003
【図２】
0003141568.tif 000004
【図３】
0003141568.tif 000005